(57)【要約】【課題】  施工初心者であっても、壁面等に簡単かつ確実に取り付けうる単水栓を提供する。【解決手段】  単水栓1Aは、後端に開口した水導入口部21を有する水栓本体2と、水導入口部にその軸線周りに回転自在に接続され、壁面Wの孔W1から露出した給水配管前端の雌ネジ部P1にねじ込まれる筒状雄ネジ部材3と、水導入口部の周囲における雄ネジ部材の前方部分に前後移動自在に設けられたロック部材4とを備える。雄ネジ部材およびロック部材には、ロック部材が後方移動端に来たときに複数の相対回転位置において互いに係合して両者の相対回転を阻止しうる一方、ロック部材が前方移動端に来たときに係合解除して両者の相対回転を許容しうるセレーション（係合部）31,41が形成される。さらに、単水栓は、ロック部材を後方移動端に保持するバネ（保持手段）5を備える。【選択図】  図２
2010053592.tif 000002
【特許請求の範囲】
【請求項１】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材と、水導入口部の周囲における雄ネジ部材の前方部分に前後移動自在に設けられたロック部材とを備え、
雄ネジ部材およびロック部材には、ロック部材が後方移動端に来たときに複数の相対回転位置において互いに係合して両者の相対回転を阻止しうる一方、ロック部材が前方移動端に来たときに係合解除して両者の相対回転を許容しうる係合部が形成されており、
さらに、ロック部材を後方移動端に保持する保持手段を備えていることを特徴とする、単水栓。
【請求項２】
雄ネジ部材およびロック部材の係合部が、互いに噛み合うセレーションによって構成されていることを特徴とする、請求項１記載の単水栓。
【請求項３】
保持手段が、ロック部材を雄ネジ部材に向かって付勢するバネよりなることを特徴とする、請求項１または２記載の単水栓。
【請求項４】
保持手段が、水導入口部に形成された雄ネジ部にねじ嵌められ、ロック部材を雄ネジ部材に向かって締め付ける雌ネジ部材よりなることを特徴とする、請求項１または２記載の水栓。
【請求項５】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、
水導入口部は雄ネジ部材に対して前後移動自在となされており、
雄ネジ部材および水導入口部には、水導入口部が前方移動端に来たときに複数の相対回転位置において互いに係合して両者の相対回転を阻止しうる一方、水導入口部が後方移動端に来たときに係合解除して両者の相対回転を許容しうる係合部が形成されており、
さらに、水導入口部を前方移動端に保持する保持手段を備えていることを特徴とする、単水栓。
【請求項６】
水導入口部および雄ネジ部材の係合部が、互いに噛み合うセレーションによって構成されていることを特徴とする、請求項５記載の単水栓。
【請求項７】
水導入口部を前方に向かって付勢するバネが設けられていることを特徴とする、請求項５または６記載の単水栓。
【請求項８】
保持手段が、水導入口部に形成された雄ネジ部にねじ嵌められ、後端が水栓取付面に接することによって水導入口部の後方への移動を阻止する雌ネジ部材よりなることを特徴とする、請求項５〜７のいずれか１つに記載の単水栓。
【請求項９】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、
水導入口部は雄ネジ部材に対して前後移動自在となされており、
雄ネジ部材および水導入口部には、水導入口部が後方移動端に来たときに複数の相対回転位置において互いに係合して両者の相対回転を阻止しうる一方、水導入口部が前方移動端に来たときに係合解除して両者の相対回転を許容しうる係合部が形成されており、
さらに、水導入口部を後方移動端に保持する保持手段を備えていることを特徴とする、単水栓。
【発明の詳細な説明】
【技術分野】
【０００１】
本発明は、単水栓に関し、より詳細には、横水栓、止水栓等の単水栓を、壁面等の水栓取付面の孔から露出させた給水配管の前端に取り付けるための構造に関する。
この明細書において、「水栓取付面」には、壁面の他、カウンター等の水平板の上面が含まれるものとする。
【背景技術】
【０００２】
一般に、単水栓は、単一の弁部を有し、この弁部をハンドルの操作によって開閉することで、吐水、止水および流量調整が行われるようになっている。
【０００３】
単水栓の壁面等への取付は、水栓本体の後部に形成された雄ネジ付き水導入口部にシールテープを巻いておいてから、この雄ネジ付き水導入口部を、給水配管前端を構成する管継手の雌ネジ部にねじ込むことによって行われる。
上記のねじ込み作業は、水栓本体における水導入口部の基端部付近に形成された外向き環状の化粧フランジ部と壁面との間隔が所定距離まで縮まった時点で、ハンドルが適正な回転位置（通常は真上）に来るように行う必要があるが、シールテープを少しでもねじ戻してしまうと、シール性が損なわれ、漏水の原因になってしまう。
【０００４】
しかしながら、上記のような取付作業には、シールテープの巻き数・巻き方や化粧フランジ部と壁面との距離の把握等に関する熟練した技術・経験が必要であって、例えば一般需要者のような施工初心者が単水栓の取付を行う場合には、施工が不十分で漏水が生じたり、ハンドルの向きが適正位置に来ない可能性が高く、結局は専門業者に依頼せざるを得ないという問題があった。
【０００５】
ところで、混合水栓の壁面への取付に際しても、上記とほぼ同様の施工上の問題があったが、この問題を解決するための手段として、本発明者は次のような混合水栓接続用管継手を提案した（下記の特許文献１参照）。
すなわち、この混合水栓接続用管継手は、後端側に雄ネジ付き配管接続口部を有する水平筒状の第１管継手部材と、第１管継手部材にその前端側から回動可能にかつ前後移動可能に嵌め被せられた回動筒部、回動筒部の前端からラジアル方向に延びた中空状アーム部、およびアーム部の先端に前方突出状に設けられた混合水栓接続口部よりなる第２管継手部材とを備えているものである。第２管継手部材の回動筒部の内周面には、係合凸部が１つまたは周方向に間隔をおいて複数形成されている。第１管継手部材の外周面には、係合凸部を収容する環状溝が形成され、また、環状溝の後側面に、回動筒部を後方に移動させることにより係合凸部と係り合わせられる係合凹部が、１つまたは周方向に間隔をおいて複数形成されている。
【０００６】
上記の管継手によれば、まず、第２管継手部材の回動筒部を後方に移動させて、その係合凸部を第１管継手部材の係合凹部に係り合わせる。この操作によって、第２管継手部材の回動筒部が、第１管継手部材に対して回動不能となされる。また、第１管継手部材の配管接続口部の雄ネジにシールテープを巻いておく。そして、この状態で第２管継手部材を手で持って所要方向に回すことにより、第１管継手部材の配管接続口部の雄ネジを給湯配管および給水配管の各前端の雌ネジ部にねじ込む。ねじ込み作業完了後、回動筒部を前方に移動させると、係合凸部が係合凹部から外れて環状溝内に位置させられ、回動筒部が第１管継手部材に対して回動可能となる。そして、混合水栓接続口部が混合水栓を接続するのに適した位置に来るように、回動筒部を所要角度回動させ、混合水栓接続口部を混合水栓本体の湯または水導入口に接続する。
このように、上記の混合水栓接続用管継手を使用すれば、いわゆる施工初心者であっても、熟練した技術や経験を要することなく、給湯配管および給水配管への混合水栓の接続作業を極めて容易にかつ確実に行うことが可能となる。
【０００７】
しかしながら、混合水栓の場合は、接続箇所が給湯配管および給水配管の左右２カ所あるため、上記の管継手を使用しても施工後に各管継手の回動筒部が回転して不具合が生じることがないが、この管継手の構造をそのまま単水栓の取付構造に適用したのでは、施工後に回動筒部が勝手に回転してしまうため問題がある。
【特許文献１】特開２００６−１１８１１８号公報
【発明の開示】
【０００８】
本発明の目的は、施工初心者であっても、壁面等に簡単かつ確実に取り付けることができる単水栓を提供することにある。
【０００９】
本発明による第１の単水栓は、後端に開口した水導入口部を有する水栓本体と、水導入口部にその軸線周りに回転自在に設けられかつ水栓取付面の孔から露出した給水配管前端の雌ネジ部にねじ込まれる筒状の雄ネジ部材と、水導入口部の周囲における雄ネジ部材の前方部分に前後移動自在に設けられたロック部材とを備え、雄ネジ部材およびロック部材には、ロック部材が後方移動端に来たときに複数の相対回転位置において互いに係合して両者の相対回転を阻止しうる一方、ロック部材が前方移動端に来たときに係合解除して両者の相対回転を許容しうる係合部が形成されており、さらに、ロック部材を後方移動端に保持する保持手段を備えているものである。
【００１０】
本発明による第１の単水栓は、例えば、以下のようにして壁面等の水栓取付面に取り付けることができる。すなわち、まず、雄ネジ部材にシールテープを巻いておく。また、ロック部材を後方移動端に位置させることにより、雄ネジ部材とロック部材、ひいては、雄ネジ部材と水栓本体とが相対回転しないようにしておく。
こうしておいてから、水栓本体を手で持って、雄ネジ部材を給水配管前端の雌ネジ部にねじ込む。
雄ネジ部材を雌ネジ部に必要な回転量だけねじ込んだところで、水栓本体の回転方向の向きを確認する。そして、例えば、水栓本体に取り付けられたハンドルが適正な位置に来ていない場合、保持手段を解除してロック部材を前方移動端に移動させると、雄ネジ部材に対して水栓本体が回転自在となるので、水栓本体を適正位置まで回転させる。
次に、ロック部材を後方移動端へ移動させると、ロック部材の係合部が雄ネジ部材の係合部に係合して、雄ネジ部材とロック部材、ひいては、雄ネジ部材と単水栓本体とが相対回転しないようになされる。
その後、不用意にロック部材が前方移動端まで移動して水栓本体が回転しないように、保持部材によってロック部材を後方移動端に保持しておく。
以上のように、本発明の第１の単水栓によれば、壁面等への取付に際して水栓本体の回転方向の向きをきわめて容易に調整することが可能であり、施工初心者であっても簡単かつ確実に壁面等に取り付けることができる。
【００１１】
本発明による第１の単水栓において、雄ネジ部材およびロック部材の係合部が、互いに噛み合うセレーションによって構成されているのが好ましい。
【００１２】
雄ネジ部材およびロック部材の係合部をセレーションによって構成すれば、両部材の相対回転位置を微調整することが可能となり、また、両部材の構造が複雑にならず、製造コストも抑えられる。
【００１３】
本発明による第１の単水栓において、保持手段が、ロック部材を雄ネジ部材に向かって付勢するバネよりなる場合がある。
【００１４】
保持手段をバネで構成した場合、水栓本体の回転位置を調整した後、前方移動端、すなわち、ロック解除位置にあるロック部材から手を離せば、バネの弾性力によって、ロック部材が後方移動端、すなわち、係合部どうしが係合するロック位置まで自動的に移動し、また移動後もその位置に保持されるので、使い勝手が良く、取付作業の効率が向上する。
【００１５】
また、本発明による第１の単水栓において、保持手段が、水導入口部に形成された雄ネジ部にねじ嵌められ、ロック部材を雄ネジ部材に向かって締め付ける雌ネジ部材よりなる場合もある。
【００１６】
保持手段を雌ネジ部材で構成した場合、より確実に、ロック部材を後方移動端、すなわち、ロック位置に保持しておくことができる。
【００１７】
次に、本発明による第２の単水栓は、後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、水導入口部は雄ネジ部材に対して前後移動自在となされており、雄ネジ部材および水導入口部には、水導入口部が前方移動端に来たときに複数の相対回転位置において互いに係合して両者の相対回転を阻止しうる一方、水導入口部が後方移動端に来たときに係合解除して両者の相対回転を許容しうる係合部が形成されており、さらに、水導入口部を前方移動端に保持する保持手段を備えているものである。
【００１８】
本発明による第２の単水栓は、例えば、以下のようにして壁面等の水栓取付面に取り付けることができる。すなわち、まず、雄ネジ部材にシールテープを巻いておく。また、水栓本体の水導入口部を前方移動端に位置させ、雄ネジ部材と水栓本体とが相対回転しないようにしておく。
こうしておいてから、水栓本体を手で持って、雄ネジ部材を給水配管前端の雌ネジ部にねじ込む。
雄ネジ部材を雌ネジ部に必要な回転量だけねじ込んだところで、水栓本体の回転方向の向きを確認する。そして、例えば、水栓本体に取り付けられたハンドルが適正な位置に来ていない場合、水栓本体を後方移動端に移動させると、水栓本体が雄ネジ部材に対して回転自在となるので、水栓本体を適正位置まで回転させる。
次に、水栓本体を前方移動端に移動させると、水導入口部の係合部が雄ネジ部材の係合部に係合して、雄ネジ部材と水栓本体とが相対回転しないようになされる。
その後、不用意に水導入口部が後方移動端まで移動して水栓本体が回転しないように、保持手段によって水導入口部を前方移動端に保持しておく。
以上のように、本発明の第２の単水栓によれば、水栓本体の回転方向の向きをきわめて容易に調整することが可能であり、施工初心者であっても簡単かつ確実に壁面等に取り付けることができる。また、本発明による第２の単水栓によれば、第１の単水栓と比べて部品点数が少なくなるため、その分だけ製造コストが抑えられる。
【００１９】
本発明による第２の単水栓において、水導入口部および雄ネジ部材の係合部が、互いに噛み合うセレーションによって構成されているのが好ましい。
【００２０】
両者の係合部をセレーションによって構成すれば、相対回転位置の微調整が可能となる上、両者の構造が単純化され、製造コストを抑えられる。
【００２１】
本発明による第２の単水栓において、水導入口部を前方に向かって付勢するバネが設けられているのが好ましい。
【００２２】
上記のようなバネが備えられていれば、水栓本体の回転方向の向きを調整した後で水栓本体から手を離せば、バネの弾性力によって、水栓本体が前方移動端、すなわち、係合部どうしが係合するロック位置まで自動的に移動するので、使い勝手が良く、取付作業の効率が向上する。
【００２３】
本発明による第２の水栓において、保持手段が、水導入口部に形成された雄ネジ部にねじ嵌められ、後端が水栓取付面に当接することによって水導入口部の後方への移動を阻止する雌ネジ部材よりなる場合がある。
【００２４】
保持手段を雌ネジ部材で構成した場合、水導入口部を前方移動端、すなわち、ロック位置に確実に保持しておくことができる上、構造が単純化され、コストも抑えられる。
【００２５】
本発明による第３の単水栓は、後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、水導入口部は雄ネジ部材に対して前後移動自在となされており、雄ネジ部材および水導入口部には、水導入口部が後方移動端に来たときに複数の相対回転位置において互いに係合して両者の相対回転を阻止しうる一方、水導入口部が前方移動端に来たときに係合解除して両者の相対回転を許容しうる係合部が形成されており、さらに、水導入口部を後方移動端に保持する保持手段を備えているものである。
【００２６】
本発明による第３の単水栓は、例えば、以下のようにして壁面等の水栓取付面に取り付けることができる。すなわち、まず、雄ネジ部材にシールテープを巻いておく。また、水栓本体の水導入口部を後方移動端に位置させ、雄ネジ部材と水栓本体とが相対回転しないようにしておく。
こうしておいてから、水栓本体を手で持って、雄ネジ部材を給水配管前端の雌ネジ部にねじ込む。
雄ネジ部材を雌ネジ部に必要な回転量だけねじ込んだところで、水栓本体の回転方向の向きを確認する。そして、例えば、水栓本体に取り付けられたハンドルが適正な位置に来ていない場合、水栓本体を前方移動端に移動させると、水栓本体が雄ネジ部材に対して回転自在となるので、水栓本体を適正位置まで回転させる。
次に、水栓本体を後方移動端に移動させると、水導入口部の係合部が雄ネジ部材の係合部に係合して、雄ネジ部材と水栓本体とが相対回転しないようになされる。
その後、不用意に水導入口部が前方移動端まで移動して水栓本体が回転しないように、保持手段によって水導入口部を後方移動端に保持しておく。
よって、本発明の第３の単水栓によれば、水栓本体の回転方向の向きをきわめて容易に調整することが可能であり、施工初心者であっても簡単かつ確実に壁面等に取り付けることができる。また、本発明による第３の単水栓によれば、第１の単水栓と比べて部品点数が少なくなるため、その分だけ製造コストが抑えられる。
【００２７】
本発明による第３の単水栓において、水導入口部および雄ネジ部材の係合部が、互いに噛み合うセレーションによって構成されているのが好ましく、それによって、相対回転位置の微調整が可能となる上、両者の構造が単純化され、製造コストを抑えられる。
【００２８】
本発明による第３の単水栓において、保持手段が、水導入口部を前方に向かって付勢するバネよりなる場合がある。
保持手段をバネで構成すれば、水導入口部が前方移動端、すなわち、ロック解除位置にある水栓本体を適宜回転させて向きを調整した後、水栓本体から手を離せば、バネの弾性力によって、水導入口部が後方移動端、すなわち、ロック位置まで自動的に移動し、その後も同位置に保持されるので、使い勝手が良く、取付作業の効率が向上する。
なお、保持手段は、バネに代えて、或いはバネに加えて、例えば止めネジ等の他の手段を用いることも勿論可能である。
【発明を実施するための最良の形態】
【００２９】
（第１の実施形態）
図１〜図９には、本発明の第１の実施形態が示されている。この実施形態は、本発明を壁面（Ｗ）に取り付けられる単水栓（横水栓）（１Ａ）に適用したものである。
図示の単水栓（１Ａ）は、後端に開口した水導入口部（２１）を有する水栓本体（２）と、水導入口部（２１）にその軸線周りに回転自在に接続されかつ壁面（Ｗ）の孔（Ｗ１）から露出した給水配管前端の雌ネジ部（Ｐ１）にねじ込まれる筒状の雄ネジ部材（３）と、水導入口部（２１）の周囲における雄ネジ部材（３）の前方部分に前後移動自在に設けられたロック部材（４）とを備えている。
雄ネジ部材（３）およびロック部材（４）には、ロック部材（４）が後方移動端に来たときに複数の相対回転位置において互いに係合して両者（３）（４）の相対回転を阻止しうる一方、ロック部材（４）が前方移動端に来たときに係合解除して両者（３）（４）の相対回転を許容しうる係合部（３１）（４１）が形成されている。
さらに、単水栓（１Ａ）は、ロック部材（４）を後方移動端に保持する保持手段（５）を備えている。
【００３０】
雌ネジ部（Ｐ１）は、この実施形態では、壁の裏側に垂直に配された給水管（図示略）の上端に一端部が接続されたＬ型管継手（Ｐ）の他端側に形成されている。また、管継手（Ｐ）の他端部には、壁面（Ｗ）における孔（Ｗ１）の周縁部に当接する外向き環状のフランジ部（Ｐ２）が形成されている。
【００３１】
水栓本体（２）は、水導入口部（２１）の他に、前方に開口した水流出口部（２２）および上方に開口した弁部挿入口部（２３）を有している。水流出口部（２２）には、スパウト（２４）が回動自在に接続されている。弁部挿入口部（２３）には、弁部（２５）（図６参照）のスピンドル（２６）が回転自在に挿通されている。スピンドル（２６）の上端部には、ハンドル（２７）が取り付けられている。
【００３２】
水導入口部（２１）は、図１〜図５に示すように、水栓本体（２）の後端部に形成されかつ内周面に雌ネジ部（２１１）を有する水平筒状部（２１a）と、外周面前部に水平筒状部（２１ａ）にねじ込まれる雄ネジ部（２１２）を有しかつ内周面後部に雌ネジ部（２１３）を有する第１筒状部材（２１ｂ）と、外周面前部に第１筒状部材（２１ｂ）の雌ネジ部（２１３）にねじ込まれる雄ネジ部（２１４）を有する第２筒状部材（２１ｃ）とで構成されている。
第１筒状部材（２１ｂ）は、その外周面後部にセレーション（２１５）を有している。第１筒状部材（２１ｂ）の内周面には、同部材にねじ込まれた第２筒状部材（２１ｃ）の内周面とほぼ面一になるように後ろ向きの環状段差（２１６）が形成されている。第１筒状部材（２１ｂ）の外周面の長さ中間部には、水平筒状部（２１ａ）の後端面に当接する前向きの環状段差（２１７）が形成されている。
第２筒状部材（２１ｃ）の外周面の長さ中間部には、第１筒状部材（２１ｂ）の後端面と所定の隙間をあけて対向する前向きの環状段差（２１８）が形成されている。
水平筒状部（２１ａ）と第１筒状部材（２１ｂ）、および、第１筒状部材（２１ｂ）と第２筒状部材（２１ｃ）は、これらのネジ部（２１１）（２１２）、（２１３）（２１４）どうしがそれぞれ接着されることにより、完全止水されている。
【００３３】
水導入口部（２１）の第１筒状部材（２１ｂ）は、水栓本体（２）の水平筒状部（２１ａ）と一体に成形しても良い。この場合、図６に示すように、水栓本体（２）の水平筒状部（２１０ａ）における内周面の長さ中間部に、第２筒状部材（２１ｃ）の内径とほぼ等しい径を有する環状内方凸部（２１９）が形成され、同内周面における環状内方凸部（２１９）よりも後方部分に、第２筒状部材（２１ｃ）の雄ネジ部（２１４）とねじ合わせられる雌ネジ部（２１３）が形成される。また、水平筒状部（２１０ａ）の外周面後部にセレーション（２１５）が形成され、同外周面の長さ中間部に後ろ向きの環状段差（２２０）が形成される。
【００３４】
雄ネジ部材（３）は、略水平筒状のものであって、第２筒状部材（２１ｃ）に回転自在に嵌め被せられている。雄ネジ部材（３）の前端部には、環状内方凸部（３２）および環状外方凸部（３３）が形成されている。環状内方凸部（３２）は、第１筒状部材（２１ｂ）の後端面と第２筒状部材（２１ｃ）の環状段差（２１８）との隙間に配置されており、これにより、雄ネジ部材（３）は、水導入口部（２１）に対して前後移動不能となされている。環状外方凸部（３３）は、その後端面が管継手（Ｐ）のフランジ部（Ｐ１２）前面に当接または近接させられる。環状外方凸部（３３）の周面には、セレーション（３１）が形成されており、このセレーションが雄ネジ部材（３）の係合部（３１）を構成している。雄ネジ部材（３）の内周面と第２筒状部材（２１ｃ）の外周面との間は、Ｏリング等の環状パッキン（６）によってシールされている。
【００３５】
図１に示すように、ロック部材（４）は、壁面（Ｗ）の孔（Ｗ１）付近を被覆しうる化粧カバーを兼ねた環状体によって構成されている。ロック部材（４）の前面は、円錐台状のテーパ面となされている。ロック部材（４）の外周面には、複数本の滑り止め用環状凸条（４２）が形成されている。ロック部材（４）の内周面には、その後端側に、雄ネジ部材（３）の環状外方凸部（３３）に当接する後ろ向きの第１環状段差（４３）が形成されているとともに、その前端側に、水平筒状部（２ａ）の後端面と所定距離をおいて向かい合う前向きの第２環状段差（４３）が形成されている。
【００３６】
そして、ロック部材（４）の内周面における第１環状段差（４３）よりも後方部分にセレーション（４１）が形成されている。このセレーション（４１）は、雄ネジ部材（３）のセレーション（３１）と噛み合うように形成されていて、ロック部材（４）の係合部（４１）を構成している。
【００３７】
また、ロック部材（４）の内周面における第１環状段差（４３）と第２環状段差（４４）との間の部分に、第１筒状部材（２１ｂ）のセレーション（２１５）と噛み合うセレーション（４５）が形成されている。これらのセレーション（２１５）（４５）どうしが噛み合うことにより、ロック部材（４）が水導入口部（２１）に対して前後移動自在かつ回転不能となされている（図１、２、４参照）。
【００３８】
水平筒状部（２１ａ）の後端面とロック部材（４）の第２環状段差（４４）との間には、ロック部材（４）を雄ネジ部材（３）に向かって付勢するバネ（５）が介在されている。このバネ（５）によって、ロック部材（４）を後方移動端に保持する保持手段（５）が構成されている。
【００３９】
図７は、ロック部材の外観形状の変形例を示すものである。図７のロック部材（４Ａ）は、水平筒状部（４０１）と、水平筒状部（４０１）の後端部に連なって径方向外方に延びかつ壁面（Ｗ）の孔（Ｗ１）付近を被覆する環状フランジ部（４０２）とを備えている。フランジ部（４０２）の前面は、ゆるやかなテーパ面となされている。
【００４０】
また、ロック部材（４）は、水導入口部（２１）に対して前後移動自在かつ回転不能であれば、上述した図１〜図５の手段以外の手段によって水導入口部（２１）に組み合わせられていてもよい。
すなわち、例えば、図８に示すように、第１筒状部材（２１ｂ）の外周面後部と、ロック部材（４）の内周面における第１環状段差（４３）と第２環状段差（４４）との間の部分とに、セレーション（２１５）（４５）に代えて、互いに嵌め合わせられる断面六角形またはその他の多角形の嵌合部（２１５Ａ）（４５Ａ）を形成してもよい。
また、図９に示すように、第１筒状部材（２１ｂ）の外周面後部と、ロック部材（４）の内周面における第１環状段差（４３）と第２環状段差（４４）との間の部分とに、互いに嵌め合わせられる断面欠円形の嵌合部（２１５Ｂ）（４５Ｂ）を形成してもよい。
【００４１】
次に、上記の単水栓（１Ａ）を壁面（Ｗ）に取り付ける手順の一例を説明する。
まず、雄ネジ部材（３）にシールテープ（図示略）を巻いておく。ここで、ロック部材（４）は、雄ネジ部材（３）と水栓本体（２）とが相対回転しないように、後方移動端、すなわちロック位置に保持しておく必要があるが、この実施形態では保持手段としてバネ（５）を使用しているため、バネ（５）の弾性力によりロック部材（４）は自動的にロック位置に保持されている。
こうしておいてから、水栓本体（２）を手で持って、雄ネジ部材（３）を給水配管前端の雌ネジ部（Ｐ１）にねじ込む。
雄ネジ部材（３）を雌ネジ部（Ｐ１）に必要な回転量だけねじ込んだところで、水栓本体（２）の回転方向の向きを確認する。そして、水栓本体（２）に取り付けられたハンドル（２７）が真上に来ていない場合、ロック部材（４）を手前に引っ張る。そうすると、バネ（５）の弾性力に抗してロック部材（４）が前方移動端、すなわちロック解除位置まで移動して、雄ネジ部材（３）およびロック部材（４）のセレーション（３１）（４１）どうしの係合が解除され、水栓本体（２）が雄ネジ部材（３）に対して回転可能となるので、そのままの状態で水栓本体（２）をハンドル（２７）が真上に来る位置まで回転させる。
次に、ロック部材（４）から手を離すと、バネ（５）の弾性力によりロック部材（４）が後方移動端まで自動的に戻って、ロック部材（４）および雄ネジ部材（３）のセレーション（４１）（３１）が互いに係合し、雄ネジ部材（３）と水栓本体（２）とが相対回転しないようになされ、バネ（５）によってその状態が保持される。
以上のように、この実施形態の単水栓（１Ａ）においては、水栓本体（２）の回転方向の向きをきわめて容易に調整することが可能である。従って、上記の単水栓（１Ａ）によれば、施工初心者であっても、シールテープを無駄にしたり、漏水を心配することなく、簡単かつ確実に壁面（Ｗ）に取り付けることができる。
【００４２】
（第２の実施形態）
図１０〜図１３には、本発明の第２の実施形態が示されている。この実施形態の単水栓（１Ｂ）は、以下の点を除いて、図１〜図９に示す第１の実施形態の単水栓（１Ａ）と実質的に同一である。
すなわち、図１０〜図１３の単水栓（１Ｂ）にあっては、雄ネジ部材（３）の前端部に環状外方凸部が形成されておらず、同部分に、第１筒状部材（２１ｂ）のセレーション（２１５）に合致するセレーション（３１）が形成されている。
ロック部材（４）は、その内周面に第１環状段差を有しておらず、同内周面における第２環状段差（４３）よりも後方部分にセレーション（４６）が形成されている。このセレーション（４６）は、ロック部材（４）が後方移動端、すなわち、ロック位置にあるときに、雄ネジ部材（３）のセレーション（３１）および水導入口部（２１）のセレーション（２１５）と噛み合う一方、ロック部材（４）が前方移動端、すなわち、ロック解除位置にあるときに、水導入口部（２１）のセレーション（２１５）のみと噛み合うようになっている。つまり、この実施形態において、ロック部材（４）のセレーション（４６）は、２つの部材（３）（２１）との係合に共用されるものである。
従って、この実施形態の単水栓（１Ｂ）によれば、ロック部材（４）の構造が単純化されるので、コストダウンを図ることができる。
また、第１筒状部材（２１ｂ）は、その外周面における環状段差（２１７）の後方部分に環状外方凸部（２１９）を有しており、この環状外方凸部（２１９）とロック部材（４）の第２環状段差（４４）との間に、バネ（５）が介在されている。
【００４３】
（第３の実施形態）
図１４〜図１６には、本発明の第３の実施形態が示されている。この実施形態の単水栓（１Ｃ）は、以下の点を除いて、図１〜図９に示す第１の実施形態の単水栓（１Ａ）と実質的に同一である。
すなわち、図１４〜図１６の単水栓（１Ｃ）にあっては、雄ネジ部材（３Ａ）の前端部に、径方向外方に短く突出した環状外方凸部に代えて、壁面（Ｗ）の孔（Ｗ１）を被覆するように径方向外方に長く突出した化粧フランジ部（３４）が形成されている。化粧フランジ部（３４）の前面には、環状前方凸部（３５）が形成され、同凸部（３５）の内周面にセレーション（３１）が形成されている。
ロック部材（４Ｂ）は、略水平筒状のものであって、その外周面後部に、雄ネジ部材（３Ａ）のセレーション（３１）に噛み合うセレーション（４１）が形成されている。
ロック部材（４Ｂ）の内周面後端寄りに、水平筒状部（２１ａ）の後端面と所定距離をおいて向かい合う前向きの環状段差（４４）が形成されている。また、ロック部材（４Ｂ）の内周面における環状段差（４４）よりも後方部分に、水導入口部（２１）のセレーション（２１５）と噛み合うセレーション（４５）が形成されている。
【００４４】
（第４の実施形態）
図１７〜図２１には、本発明の第４の実施形態が示されている。この実施形態の単水栓（１Ｄ）は、以下の点を除いて、図１〜図９に示す第１の実施形態の単水栓（１Ａ）と実質的に同一である。
すなわち、図１７〜図２１の単水栓（１Ｄ）にあっては、ロック部材（４Ｃ）が、やや薄肉の環状体よりなる。ロック部材（４Ｃ）の内周面には、その厚み中央部に、雄ネジ部材（３）の環状外方凸部（３３）に当接する後ろ向きの環状段差（４３）が形成されている。そして、ロック部材（４Ｃ）の内周面における環状段差（４３）よりも後方部分に、雄ネジ部材（３）のセレーション（３１）と噛み合うセレーション（４１）が形成され、同前方部分に、第１筒状部材（２１ｂ）のセレーション（２１５）と噛み合うセレーション（４５）が形成されている。
第１筒状部材（２１ｂ）の外周面におけるセレーション（４５）よりも前方部分に、雄ネジ部（２２０）が形成されている。この雌ネジ部（２２０）には、ロック部材（４Ｃ）を雄ネジ部材（３）に向かって締め付けるナット（雌ネジ部材）（７）がねじ嵌められている。
【００４５】
この実施形態の単水栓（１Ｄ）にあっては、給水管前端の雌ネジ部（Ｐ１）へのねじ込み作業時には、ナット（７）で締め付けることによって、ロック部材（４Ｃ）を後方移動端、すなわち、ロック位置に保持することにより、水導入口部（２１）と雄ネジ部材（３）との相対回転を阻止することができる。一方、取付作業中に水栓本体（２１）の回転方向の向きを調整したい場合には、ナット（７）を前方に緩めておいてから（図１８参照）、ロック部材（４Ｃ）を前方移動端、すなわち、ロック解除位置まで移動させればよい（図１９参照）。水栓本体（２１）の向きの調整が完了したら、ロック部材（４Ｃ）を後方移動端まで戻した後、同部材（４Ｃ）をナット（７）で再び締め付ける。
この実施形態の単水栓（１Ｄ）によれば、上述の通り、ロック部材（４Ｃ）の保持手段としてナット（７）を使用しているので、より確実かつ強固にロック部材（４Ｃ）をロック位置に保持しておくことができる。
【００４６】
（第５の実施形態）
図２２〜図２５には、本発明の第５の実施形態が示されている。
この実施形態の単水栓（１Ｅ）は、後端に開口した水導入口部（２１）を有する水栓本体（２）と、水導入口部（２１）にその軸線周りに回転自在に接続されかつ壁面（Ｗ）の孔（Ｗ１）から露出した給水配管前端の雌ネジ部（Ｐ１）にねじ込まれる筒状の雄ネジ部材（３Ｂ）とを備えている。
水導入口部（２１）は、雄ネジ部材（３Ｂ）に対して前後移動自在となされている。
雄ネジ部材（３Ｂ）および水導入口部（２１）には、水導入口部（２１）が前方移動端に来たときに複数の相対回転位置において互いに係合して両者（３Ｂ）（２１）の相対回転を阻止しうる一方、水導入口部（２１）が後方移動端に来たときに係合解除して両者（３Ｂ）（２１）の相対回転を許容しうる係合部（３１）（２１０）が形成されている。
さらに、単水栓（１Ｅ）は、水導入口部（２１）を前方移動端に保持する保持手段（８）を備えている。
【００４７】
雄ネジ部材（３Ｂ）は、略水平筒状のものであって、外周面後部に雄ネジ部（３０）が形成されている。雄ネジ部材（３Ｂ）の外周面前端部には、セレーション（３１）が形成されている。このセレーション（３１）が、雄ネジ部材（３Ｂ）の係合部（３１）を構成している。雄ネジ部材（３Ｂ）の内周面前端寄り部分には、環状内方凸部（３２）が形成されている。
【００４８】
水導入口部（２１）は、水栓本体（２）の後端部に形成されかつ内周面に雌ネジ部（２１１）を有する水平筒状部（２１a）と、外周面前部に水平筒状部（２１ａ）にねじ込まれる雄ネジ部（２１２）を有する筒状部材（２１ｂ）とで構成されている。
水平筒状部（２１ａ）の内周面後端寄りには、雄ネジ部材（３Ｂ）の環状内方凸部（３２）と所定距離をおいて向かい合う後ろ向きの環状段差（２２１）が形成されている。雌ネジ部（２１１）は、水平筒状部（２１ａ）の内周面における環状段差（２１１）の前方部分に形成されている。水平筒状部（２１ａ）の内周面後端部には、雄ネジ部材（３Ｂ）のセレーション（３１）に噛み合うセレーション（２１０）が形成されており、このセレーション（２１０）が水導入口部（２１）の係合部（２１０）を構成している。水平筒状部（２１ａ）の内周面における雌ネジ部（２１１）の前側部分には、雄ネジ部材（３Ｂ）の内径にほぼ等しい開口径を有する環状内方凸部（２２２）が形成されている。
筒状部材（２１ｂ）の外周面の長さ中間部には、前方を向いた環状段差（２１８）が形成されており、この環状段差（２１８）は、雄ネジ部材（３Ｂ）の環状内方凸部（３２）と係合しうるようになっている。筒状部材（２１ｂ）の外周面と雄ネジ部材（３Ｂ）の内周面との間は、Ｏリング等の環状パッキン（６）によってシールされている。
水平筒状部（２１ａ）と筒状部材（２１ｂ）とは、これらのネジ部（２１１）（２１２どうしが接着されることにより、完全止水される。
【００４９】
雄ネジ部材（３Ｂ）の環状内方凸部（３２）と水導入口部（２１）における水平筒状部（２１ａ）の環状段差（２２１）との間には、水導入口部（２１）を前方に向かって付勢するバネ（５Ａ）が介在されている。バネ（５Ａ）としては、水栓本体（２）を手で持って雄ネジ部材（３Ｂ）を給水管前端の雌ネジ部（Ｐ１）にねじ込む際に、水栓本体（２）が後方移動端に移動しないように、ある程度テンションが高いものを使用するのが好ましい。
【００５０】
保持手段（８）は、水導入口部（２１）の水平筒状部（２１ａ）に形成された雄ネジ部（２２３）にねじ嵌められ、後端が壁面（Ｗ）に接することによって水導入口部（２１）の後方への移動を阻止する雌ネジ部材（８）よりなる。
雌ネジ部材（８）は、水平筒状の雌ネジ部（８１）と、雌ネジ部（８１）の後端から径方向外方に延びて壁面（Ｗ）の孔（Ｗ１）を被覆する化粧フランジ部（８２）と、化粧フランジ部（８２）の外周縁から後方に延びかつ先端が壁面（Ｗ）に接する環状脚部（８３）とを備えている。
【００５１】
上記の単水栓（１Ｅ）は、例えば次のようにして壁面（Ｗ）に取り付けられる。
すなわち、まず、雄ネジ部材（３Ｂ）にシールテープ（図示略）を巻いておいてから、水栓本体（２）を手で持って、雄ネジ部材（３Ｂ）を給水配管前端の雌ネジ部（Ｐ１）にねじ込む。
雄ネジ部材（３Ｂ）を雌ネジ部（Ｐ１）に必要な回転量だけねじ込んだところで、水栓本体（２）の回転方向の向きを確認する。そして、水栓本体（２）に取り付けられたハンドル（２７）（図１参照）が真上に来ていない場合、雌ネジ部材（保持手段）（８）を前方にねじ戻しておいてから（図２３参照）、水栓本体（２）をバネ（５Ａ）の弾性力に抗して後方に強く押す。そうすると、水栓本体（２）の水導入口部（２１）が後方移動端、すなわちロック解除位置まで移動して、雄ネジ部材（３Ｂ）および水導入口部（２１）のセレーション（３１）（２１０）どうしの係合が解除され、水栓本体（２）が雄ネジ部材（３Ｂ）に対して回転可能となるので、そのままの状態で水栓本体（２）をハンドル（２７）が真上に来る位置まで回転させる（図２４参照）。
次に、水栓本体（２）から手を離すと、バネ（５Ａ）の弾性力によって、水導入口部（２１）が前方移動端、すなわちロック位置まで自動的に復帰し、水導入口部（２１）のセレーション（２１０）が雄ネジ部材（３Ｂ）のセレーション（３１）に係合して、雄ネジ部材（３Ｂ）と水栓本体（２１）が相対回転しないようになされる。
その後、雌ネジ部材（８）をその環状脚部（８２）の先端が壁面（Ｗ）に接するように後方に向かってねじ込むと、それによって、水栓本体（２）が、後方移動端への移動を阻止され、ロック位置に保持される（図２２参照）。
従って、この実施形態の単水栓（１Ｅ）によれば、水栓本体（２）の回転方向の向きをきわめて容易に調整することが可能であり、施工初心者であっても、シールテープを無駄にしたり、漏水を心配することなく、簡単かつ確実に壁面（Ｗ）に取り付けることができる。
【００５２】
（第６の実施形態）
図２６〜図２９には、本発明の第６の実施形態が示されている。
この実施形態の単水栓（１Ｆ）は、後端に開口した水導入口部（２１）を有する水栓本体（２）と、水導入口部（２１）にその軸線周りに回転自在に接続されかつ壁面（Ｗ）の孔（Ｗ１）から露出した給水配管前端の雌ネジ部（Ｐ１）にねじ込まれる筒状の雄ネジ部材（３Ｃ）とを備えている。
水導入口部（２１）は、雄ネジ部材（３Ｃ）に対して前後移動自在となされている。
雄ネジ部材（３Ｃ）および水導入口部（２１）には、水導入口部（２１）が後方移動端に来たときに複数の相対回転位置において互いに係合して両者（３Ｃ）（２１）の相対回転を阻止しうる一方、水導入口部（２１）が前方移動端に来たときに係合解除して両者（３Ｃ）（２１）の相対回転を許容しうる係合部（３１）（２１０）が形成されている。
さらに、単水栓（１Ｆ）は、水導入口部（２１）を前方移動端に保持する保持手段（５Ｂ）（９）を備えている。
【００５３】
雄ネジ部材（３Ｃ）は、略水平筒状のものであって、外周面後部に雄ネジ部（３０）が形成されている。雄ネジ部材（３Ｂ）の外周面における雄ネジ部（３０）の前方部分に環状外方凸部（３３）が形成され、環状外方凸部（３３）の周面にセレーション（３１）が形成されている。このセレーション（３１）が、雄ネジ部材（３Ｃ）の係合部（３１）を構成している。雄ネジ部材（３Ｃ）の外周面前端部には、環状溝（３６）が形成されている。雄ネジ部材（３Ｃ）の内周面における前端寄り部分に、後ろ向きの環状段差（３７）が形成されている。
【００５４】
水導入口部（２１）は、水栓本体（２）の後端部に形成されかつ内周面の前部に雌ネジ部（２１１）を有する水平筒状部（２１a）と、外周面前部に水平筒状部（２１ａ）にねじ込まれる雄ネジ部（２１２）を有する筒状部材（２１ｂ）とで構成されている。
水平筒状部（２１ａ）の内周面の長さ中間部には、雄ネジ部材（３Ｃ）の前端面を受けうる後ろ向きの第１環状段差（２２１）が形成されている。また、水平筒状部（２１ａ）の内周面の後端寄り部分には、雄ネジ部材（３Ｃ）の環状外方凸部（３３）を受けうる後ろ向きの第２環状段差（２２４）が形成されている。雌ネジ部（２１１）は、水平筒状部（２１ａ）の内周面における第１環状段差（２１１）の前方部分に形成されている。水平筒状部（２１ａ）の内周面における第２環状段差（２２４）の後方部分には、雄ネジ部材（３Ｃ）のセレーション（３１）に噛み合うセレーション（２１０）が形成されており、このセレーション（２１０）が水導入口部（２１）の係合部（２１０）を構成している。水平筒状部（２１ａ）の内周面における雌ネジ部（２１１）の前側部分には、雄ネジ部材（３Ｂ）の内径にほぼ等しい開口径を有する環状内方凸部（２２２）が形成されている。水平筒状部（２１ａ）の外周面の後端部には、壁面（Ｗ）の孔（Ｗ１）付近を被覆する外向き環状の化粧フランジ部（２２５）が形成されている。化粧フランジ部（２２５）の前面は、ゆるやかなテーパ面となされている。水平筒状部（２１ａ）の下部には、後方移動端に位置した際に雄ネジ部材（３Ｃ）の環状溝（３６）に向かって開口するネジ孔（２２６）があけられている。
筒状部材（２１ｂ）の外周面の長さ中間部には、雄ネジ部材（３Ｃ）内周面の環状段差（３７）と所定距離をおいて向かい合う前向きの環状段差（２１８）が形成されている。筒状部材（２１ｂ）の外周面と雄ネジ部材（３Ｃ）の内周面との間は、Ｏリング等の環状パッキン（６）によってシールされている。
水平筒状部（２１ａ）と筒状部材（２１ｂ）とは、これらのネジ部（２１１）（２１２どうしが接着されることにより、完全止水される。
【００５５】
雄ネジ部材（３Ｃ）内周面の環状段差（３７）と筒状部材（２１ａ）外周面の環状段差（２１８）との間には、水導入口部（２１）を後方に向かって付勢するバネ（５Ｂ）が介在されている。
また、この実施形態の単水栓（１Ｆ）は、水導入口部（２１）が後方移動端にあるときに水平筒状部（２１ａ）のネジ孔（２２６）にねじ込まれて、その先端が環状溝（３６）の底面に当てられる止めネジ（９）を備えている。
これらのバネ（５Ｂ）および止めネジ（９）によって、水導入口部（２１）を後方移動端に保持する保持手段が構成されている。
なお、保持手段は、バネ（５Ｂ）および止めネジ（９）のいずれか一方のみによって構成することも可能である。
【００５６】
上記の単水栓（１Ｆ）は、例えば次のようにして壁面（Ｗ）に取り付けられる。
すなわち、まず、雄ネジ部材（３Ｃ）にシールテープ（図示略）を巻いておく。ここで、水栓本体（２）の水導入口部（２１）は、雄ネジ部材（３）に対して回転しないように、後方移動端、すなわちロック位置に保持しておく必要があるが、この実施形態では保持手段としてバネ（５Ｂ）を使用しているため、バネ（５）の弾性力により水導入口部（２１）は自動的にロック位置に保持されている。また、ロック状態をより確実に保持するために、水導入口部（２１）における水平筒状部（２１ａ）のネジ孔（２２６）に止めネジ（９）をねじ込んでおくのが好ましい。
こうしておいてから、水栓本体（２）を手で持って、雄ネジ部材（３Ｃ）を給水配管前端の雌ネジ部（Ｐ１）にねじ込む（図２６参照）。
雄ネジ部材（３Ｃ）を雌ネジ部（Ｐ１）に必要な回転量だけねじ込んだところで、水栓本体（２）の回転方向の向きを確認する。そして、水栓本体（２）に取り付けられたハンドル（２７）（図１参照）が真上に来ていない場合、止めネジ（９）を緩めておいてから、水栓本体（２）をバネ（５Ａ）の弾性力に抗して前方に引っ張る。そうすると、水栓本体（２）の水導入口部（２１）が前方移動端、すなわちロック解除位置まで移動して、雄ネジ部材（３Ｃ）および水導入口部（２１）のセレーション（３１）（２１０）どうしの係合が解除され、水栓本体（２）が雄ネジ部材（３Ｃ）に対して回転可能となるので、その状態で水栓本体（２）をハンドル（２７）が真上に来る位置まで回転させる（図２７参照）。
次に、水栓本体（２）から手を離すと、バネ（５Ｂ）の弾性力によって、水導入口部（２１）が後方移動端、すなわちロック位置まで自動的に復帰し、水導入口部（２１）のセレーション（２１０）が雄ネジ部材（３Ｃ）のセレーション（３１）に係合して、雄ネジ部材（３Ｃ）と水栓本体（２１）が相対回転しないようになされ、バネ（５）によってその状態が保持される。
さらに、水導入口部（２１）を後方移動端に確実に保持するために、止めネジ（９）をその先端が環状溝（３６）の底面に達するまでねじ込む（図２６参照）。
以上のように、この実施形態の単水栓（１Ｆ）によれば、水栓本体（２）の回転方向の向きをきわめて容易に調整することが可能であり、施工初心者であっても、シールテープを無駄にしたり、漏水を心配することなく、簡単かつ確実に壁面（Ｗ）に取り付けることができる。
【００５７】
なお、上記の各実施形態はあくまでも例示にすぎず、特許請求の範囲に記載された本発明の要旨を逸脱しない範囲において適宜に変更を加えた上で本発明を実施することも勿論可能である。
【図面の簡単な説明】
【００５８】
【図１】本発明の第１の実施形態を示すものであって、ロック部材がロック位置にある状態の単水栓の垂直縦断面図である。
【図２】第１の実施形態において、ロック部材がロック解除位置にある状態の単水栓の部分拡大垂直縦断面図である。
【図３】図１のIII−III線に沿う単水栓の横断面図である。
【図４】図１のIV−IV線に沿う単水栓の横断面図である。
【図５】単水栓の一部を分解して示す垂直縦断面図である。
【図６】単水栓の水導入口部の変形例を示す部分拡大垂直断面図である。
【図７】ロック部材の変形例を示す垂直縦断面図である。
【図８】ロック部材の水導入口部への取付構造の変形例を示す横断面図である。
【図９】ロック部材の水導入口部への取付構造のもう１つの変形例を示す横断面図である。
【図１０】本発明の第２の実施形態を示すものであって、ロック部材がロック位置にある状態の単水栓の部分拡大垂直縦断面図である。
【図１１】第２の実施形態において、ロック部材がロック解除位置にある状態の単水栓の部分拡大垂直縦断面図である。
【図１２】図１０のXII−XII線に沿う単水栓の横断面図である。
【図１３】図１０のXIII−XIII線に沿う単水栓の横断面図である。
【図１４】本発明の第３の実施形態を示すものであって、ロック部材がロック位置にある状態の単水栓の部分拡大垂直縦断面図である。
【図１５】第３の実施形態において、ロック部材がロック解除位置にある状態の単水栓の部分拡大垂直縦断面図である。
【図１６】図１４のXVI−XVI線に沿う単水栓の横断面図である。
【図１７】本発明の第４の実施形態を示すものであって、ロック部材がロック位置にある状態の単水栓の部分拡大垂直縦断面図である。
【図１８】第４の実施形態において、ロックナットを緩めた状態の単水栓の部分拡大垂直縦断面図である。
【図１９】第４の実施形態において、ロック部材がロック解除位置にある状態の単水栓の部分拡大垂直縦断面図である。
【図２０】図１７のXX−XX線に沿う単水栓の横断面図である。
【図２１】図１７のXXI−XXI線に沿う単水栓の横断面図である。
【図２２】本発明の第５の実施形態を示すものであって、水栓本体の水導入口部がロック位置にある状態の単水栓の部分拡大垂直縦断面図である。
【図２３】第５の実施形態において、雌ネジ部材を緩めた状態の単水栓の部分拡大垂直縦断面図である。
【図２４】第５の実施形態において、水導入口部がロック解除位置にある状態の単水栓の部分拡大垂直縦断面図である。
【図２５】図２２のXXV−XXV線に沿う単水栓の横断面図である。
【図２６】本発明の第６の実施形態を示すものであって、水導入口部がロック位置にある状態の単水栓の部分拡大垂直縦断面図である。
【図２７】第６の実施形態において、水導入口部がロック解除位置にある状態の単水栓の部分拡大垂直縦断面図である。
【図２８】図２６のXXVIII−XXVIII線に沿う単水栓の横断面図である。
【図２９】図２６のXXIX−XXIX線に沿う単水栓の横断面図である。
【符号の説明】
【００５９】
（Ｗ）：壁面（水栓取付面）
（Ｗ１）：孔
（Ｐ１）：給水配管前端の雌ネジ部
（１Ａ）（１Ｂ）（１Ｃ）（１Ｄ）（１Ｅ）（１Ｆ）：単水栓
（２）：水栓本体
（２１）：水導入口部
（２１０）：セレーション（係合部）
（３）（３Ａ）（３Ｂ）（３Ｃ）：雄ネジ部材
（３１）：セレーション（係合部）
（４）（４Ａ）（４Ｂ）（４Ｃ）：ロック部材
（４１）（４６）セレーション（係合部）
（５）（５Ｂ）：バネ（保持手段）
（５Ａ）：バネ
（７）：ナット（雌ネジ部材・保持手段）
（８）：雌ネジ部材（保持手段）
（９）：止めネジ（保持手段）
【図１】
2010053592.tif 000003
【図２】
2010053592.tif 000004
【図３】
2010053592.tif 000005
【図４】
2010053592.tif 000006
【図５】
2010053592.tif 000007
【図６】
2010053592.tif 000008
【図７】
2010053592.tif 000009
【図８】
2010053592.tif 000010
【図９】
2010053592.tif 000011
【図１０】
2010053592.tif 000012
【図１１】
2010053592.tif 000013
【図１２】
2010053592.tif 000014
【図１３】
2010053592.tif 000015
【図１４】
2010053592.tif 000016
【図１５】
2010053592.tif 000017
【図１６】
2010053592.tif 000018
【図１７】
2010053592.tif 000019
【図１８】
2010053592.tif 000020
【図１９】
2010053592.tif 000021
【図２０】
2010053592.tif 000022
【図２１】
2010053592.tif 000023
【図２２】
2010053592.tif 000024
【図２３】
2010053592.tif 000025
【図２４】
2010053592.tif 000026
【図２５】
2010053592.tif 000027
【図２６】
2010053592.tif 000028
【図２７】
2010053592.tif 000029
【図２８】
2010053592.tif 000030
【図２９】
2010053592.tif 000031
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材と、水導入口部の周囲における雄ネジ部材の前方部分に前後移動自在に設けられたロック部材とを備え、
雄ネジ部材およびロック部材には、ロック部材が後方移動端に来たときに複数の相対回転位置において互いに係合して両者の相対回転を阻止しうる一方、ロック部材が前方移動端に来たときに係合解除して両者の相対回転を許容しうる係合部が形成されており、
さらに、ロック部材を後方移動端に保持する保持手段を備えていることを特徴とする、単水栓。
【請求項２】
雄ネジ部材およびロック部材の係合部が、互いに噛み合うセレーションによって構成されていることを特徴とする、請求項１記載の単水栓。
【請求項３】
保持手段が、ロック部材を雄ネジ部材に向かって付勢するバネよりなることを特徴とする、請求項１または２記載の単水栓。
【請求項４】
保持手段が、水導入口部に形成された雄ネジ部にねじ嵌められ、ロック部材を雄ネジ部材に向かって締め付ける雌ネジ部材よりなることを特徴とする、請求項１または２記載の水栓。
【請求項５】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、
水導入口部は雄ネジ部材に対して前後移動自在となされており、
雄ネジ部材および水導入口部には、水導入口部が前方移動端に来たときに複数の相対回転位置において互いに係合して両者の相対回転を阻止しうる一方、水導入口部が後方移動端に来たときに係合解除して両者の相対回転を許容しうる係合部が形成されており、
さらに、水導入口部を前方移動端に保持する保持手段を備えており、
保持手段が、水導入口部に形成された雄ネジ部にねじ嵌められ、後端が水栓取付面に接することによって水導入口部の後方への移動を阻止する雌ネジ部材よりなることを特徴とする、単水栓。
【請求項６】
水導入口部および雄ネジ部材の係合部が、互いに噛み合うセレーションによって構成されていることを特徴とする、請求項５記載の単水栓。
【請求項７】
水導入口部を前方に向かって付勢するバネが設けられていることを特徴とする、請求項５または６記載の単水栓。
【手続補正２】
【補正対象書類名】明細書
【補正対象項目名】００４４
【補正方法】変更
【補正の内容】
【００４４】
（第４の実施形態）
図１７〜図２１には、本発明の第４の実施形態が示されている。この実施形態の単水栓（１Ｄ）は、以下の点を除いて、図１〜図９に示す第１の実施形態の単水栓（１Ａ）と実質的に同一である。
すなわち、図１７〜図２１の単水栓（１Ｄ）にあっては、ロック部材（４Ｃ）が、やや薄肉の環状体よりなる。ロック部材（４Ｃ）の内周面には、その厚み中央部に、雄ネジ部材（３）の環状外方凸部（３３）に当接する後ろ向きの環状段差（４３）が形成されている。そして、ロック部材（４Ｃ）の内周面における環状段差（４３）よりも後方部分に、雄ネジ部材（３）のセレーション（３１）と噛み合うセレーション（４１）が形成され、同前方部分に、第１筒状部材（２１ｂ）のセレーション（２１５）と噛み合うセレーション（４５）が形成されている。
第１筒状部材（２１ｂ）の外周面におけるセレーション（４５）よりも前方部分に、雄ネジ部（２２０）が形成されている。この雄ネジ部（２２０）には、ロック部材（４Ｃ）を雄ネジ部材（３）に向かって締め付けるナット（雌ネジ部材）（７）がねじ嵌められている。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
後端に開口した水導入口部を有する水栓本体と、水導入口部にその軸線周りに回転自在かつ前後移動不能に接続されかつ水栓取付面の孔から露出した給水配管前端の雌ネジ部にねじ込まれる筒状の雄ネジ部材と、水導入口部の周囲における雄ネジ部材の前方部分に前後移動自在に組み合わせられた環状のロック部材とを備え、
雄ネジ部材およびロック部材には、ロック部材が後方移動端に来たときに複数の相対回転位置において互いに係合して両者の相対回転を阻止しうる一方、ロック部材が前方移動端に来たときに係合解除して両者の相対回転を許容しうる係合部が形成されており、
さらに、ロック部材を後方移動端に保持する保持手段を備えていることを特徴とする、単水栓。
【請求項２】
雄ネジ部材およびロック部材の係合部が、互いに噛み合うセレーションによって構成されていることを特徴とする、請求項１記載の単水栓。
【請求項３】
保持手段が、ロック部材を雄ネジ部材に向かって付勢するバネよりなることを特徴とする、請求項１または２記載の単水栓。
【請求項４】
保持手段が、水導入口部に形成された雄ネジ部にねじ嵌められ、ロック部材を雄ネジ部材に向かって締め付ける雌ネジ部材よりなることを特徴とする、請求項１または２記載の単水栓。
【請求項５】
水栓本体の水導入口部とロック部材との対向面に、互いに噛み合うセレーションが形成され、これらのセレーションどうしが噛み合わせられることにより、ロック部材が水導入口部に対して前後移動自在となされていることを特徴とする、請求項１〜４のいずれか１つに記載の単水栓。
【請求項６】
水栓本体の水導入口部とロック部材との対向面に、互いに嵌め合わせられる断面多角形または断面欠円形の嵌合部が形成され、これらの嵌合部どうしが嵌め合わせられることにより、ロック部材が水導入口部に対して前後移動自在となされていることを特徴とする、請求項１〜４のいずれか１つに記載の単水栓。
【請求項７】
ロック部材が、水栓取付面の孔付近を被覆しうる化粧カバーを兼ねた環状体によって構成されていることを特徴とする、請求項１〜６のいずれか１つに記載の単水栓。
【請求項８】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、
水導入口部は雄ネジ部材に対して前後移動自在となされており、
雄ネジ部材および水導入口部には、水導入口部が前方移動端に来たときに複数の相対回転位置において互いに係合して両者の相対回転を阻止しうる一方、水導入口部が後方移動端に来たときに係合解除して両者の相対回転を許容しうる係合部が形成されており、
さらに、水導入口部を前方移動端に保持する保持手段を備えており、
保持手段が、水導入口部に形成された雄ネジ部にねじ嵌められ、後端が水栓取付面に接することによって水導入口部の後方への移動を阻止する雌ネジ部材よりなることを特徴とする、単水栓。
【請求項９】
水導入口部および雄ネジ部材の係合部が、互いに噛み合うセレーションによって構成されていることを特徴とする、請求項８記載の単水栓。
【請求項１０】
水導入口部を前方に向かって付勢するバネが設けられていることを特徴とする、請求項８または９記載の単水栓。